(57)【要約】【課題】パチスロ遊技を提供する際に、パチスロ機若しくはメダル貸し機に設けられるホッパへのメダル補給若しくはメダル回収に係る係員の労力を軽減し、もって遊技者による継続遊技や遊技店の効率的な運営を図ることを課題とする。【解決手段】パチスロ機１０及びメダル貸し機３０にそれぞれメダルを貯留するパチスロ用ホッパ１００及びメダル貸し機用ホッパ３００を設け、メダルを貸し出す際に優先的に使用される優先ホッパであるパチスロ用ホッパ１００に貯留するメダルが不足状態にあるか否かを検知し、検知されない場合には、該パチスロ用ホッパ１００から貸しメダルを払い出し、検知された場合には、メダル貸し機用ホッパ３００から貸しメダルを払い出す。【選択図】        図４−３
2006280631.tif 000002
【特許請求の範囲】
【請求項１】
遊技客により所定のメダル貸出操作が行われた場合に、パチスロ機に通信可能に併設されたメダル貸し機により前記パチスロ機のパチスロ遊技に用いられるメダルを貸出処理するメダル貸出システムであって、
前記パチスロ機に設けられたメダルを貯留するパチスロ用ホッパと、
前記メダル貸し機に設けられたメダルを貯留するメダル貸し機用ホッパと、
前記パチスロ用ホッパ又はメダル貸し機用ホッパのうち優先的にメダルを払い出す優先ホッパに貯留するメダルが不足状態にあるか否かを検知する検知手段と、
前記検知手段により前記優先ホッパの不足状態が検知されない場合には、該優先ホッパからメダルを払い出し、前記優先ホッパの不足状態が検知された場合には、前記優先ホッパでない他方のホッパからメダルを払い出すよう制御する制御手段と
を備えたことを特徴とするメダル貸出システム。
【請求項２】
前記制御手段は、前記メダル貸し機から貸しメダルの払出指示を受け付けた場合及び／又は前記パチスロ機から賞メダルの払出指示を受け付けた場合に、前記メダルを払い出すよう制御することを特徴とする請求項１に記載のメダル貸出システム。
【請求項３】
前記検知手段は、前記優先ホッパに貯留するメダルがニアエンプティ時のメダル量に貸出操作時のメダル貸出枚数を加算したメダル量よりも少ない場合に当該優先ホッパが前記不足状態にあると検知することを特徴とする請求項１又は２に記載のメダル貸出システム。
【請求項４】
前記制御手段は、前記パチスロ用ホッパが優先ホッパである場合には、該パチスロ用ホッパの不足状態が検知されなければ該パチスロ用ホッパからメダルを払い出し、該パチスロ用ホッパの不足状態が検知されれば前記メダル貸し機用ホッパからメダルを払い出すよう制御することを特徴とする請求項１又は２に記載のメダル貸出システム。
【請求項５】
前記制御手段は、前記メダル貸し機用ホッパが優先ホッパである場合には、該メダル貸し機用ホッパの不足状態が検知されなければ該メダル貸し機用ホッパからメダルを払い出し、該メダル貸し機用ホッパの不足状態が検知されれば前記パチスロ用ホッパからメダルを払い出すよう制御することを特徴とする請求項１又は２に記載のメダル貸出システム。
【請求項６】
前記検知手段により前記優先ホッパの不足状態が検知された場合には、前記優先ホッパでない他方のホッパ内のメダルを前記優先ホッパに搬送するメダル搬送手段をさらに備えたことを特徴とする請求項１〜５のいずれか一つに記載のメダル貸出システム。
【請求項７】
前記優先ホッパのホッパ詰まりを検知するホッパ詰まり検知手段をさらに備え、前記制御手段は、前記ホッパ詰まり検知手段により前記優先ホッパのホッパ詰まりが検知された場合には、前記優先ホッパでない他方のホッパからメダルを払い出すよう制御することを特徴とする請求項１〜６のいずれか一つに記載のメダル貸出システム。
【請求項８】
前記優先ホッパからメダルを投出する受け皿が満杯状態であるか否かを検知する受け皿検知手段をさらに備え、前記制御手段は、前記受け皿検知手段により受け皿満杯状態が検知された場合には、前記優先ホッパでない他方のホッパからメダルを払い出すよう制御することを特徴とする請求項１〜７のいずれか一つに記載のメダル貸出システム。
【請求項９】
前記メダル貸し機にノズルが配設され該ノズルを回動しつつ一のパチスロ機の受け皿にメダルを排出する場合に、当該メダル貸し機のノズルの回動位置を検知するノズル回動位置検知手段と、前記ノズル回動位置検知手段により検知されたノズルの回動位置に基づいて当該ノズルを有するメダル貸し機が前記パチスロ機と一対の状態であるか否かを判定する判定手段とをさらに備え、前記制御手段は、前記メダル貸し機とパチスロ機が一対の状態であると判定された場合に、当該メダル貸し機のメダル貸し機用ホッパを前記優先ホッパ若しくは前記優先ホッパでない他方のホッパの対象とすることを特徴とする請求項１〜８のいずれか一つに記載のメダル貸出システム。
【請求項１０】
遊技客により所定のメダル貸出操作が行われた場合に、パチスロ機に通信可能に併設されたメダル貸し機により前記パチスロ機のパチスロ遊技に用いられるメダルを貸出処理するメダル貸出方法であって、
前記パチスロ機に設けられたメダルを貯留するパチスロ用ホッパ又は前記メダル貸し機に設けられたメダルを貯留するメダル貸し機用ホッパのうち優先的にメダルを払い出す優先ホッパに貯留するメダルが不足状態にあるか否かを検知する検知工程と、
前記検知工程により前記優先ホッパの不足状態が検知されない場合には、該優先ホッパからメダルを払い出し、前記優先ホッパの不足状態が検知された場合には、前記優先ホッパでない他方のホッパからメダルを払い出すよう制御する制御工程と
を含んだことを特徴とするメダル貸出方法。
【発明の詳細な説明】
【技術分野】
【０００１】
本発明は、遊技客により所定のメダル貸出操作が行われた場合に、パチスロ機に併設されたメダル貸し機によりパチスロ機のパチスロ遊技に用いられるメダルを貸出処理するメダル貸出システム及びメダル貸出方法に関し、特に、パチスロ遊技を提供する際に、パチスロ機若しくはメダル貸し機に設けられるホッパへのメダル補給若しくはメダル回収に係る係員の労力を軽減し、もって遊技者による継続遊技や遊技店の効率的な運営を図ることができるメダル貸出システム及びメダル貸出方法に関する。
【背景技術】
【０００２】
従来、いわゆるパチスロ機と呼ばれる遊技機には、特許文献１に記載されるように、パチスロ遊技に必要なメダルを貸し出すメダル貸し機が併設されており、遊技客は、このメダル貸し機に紙幣を投入してメダルを借り受けるとともに、借り受けたメダルをパチスロ機に投入してパチスロ遊技を行っていた。
【０００３】
具体的には、遊技者がメダル貸し機に紙幣を投入してメダル貸し出しボタンを押下すると、該メダル貸し機内に設けられたホッパ（以下「メダル貸し機内ホッパ」と言う）から貸出枚数分のメダル（１０００円で５０枚）がメダル貸し機に設けられた受け皿若しくはパチスロ機に設けられた受け皿に投出されることになる。なお、パチスロ遊技中に使用されたメダルはパチスロ機本体内に設けられたホッパ（以下「パチスロ内ホッパ」と言う）内に貯留されるとともに、子役等の成立時にはこのパチスロ内ホッパから子役に対応する賞メダルが払い出されることになる。
【０００４】
一方で、最近の法律改正に対応し、特許文献２に記載されるように、遊技者が借り受けるメダルを上記パチスロ内ホッパから投出するＣＲパチスロ機の登場が予想されている。すなわち、かかるＣＲパチスロ機では、賞メダルだけではなく貸しメダルについてもパチスロ内ホッパから投出されることになる。このため、かかるＣＲパチスロ機を用いた場合には、メダル貸し機内に上記メダル貸し機内ホッパを設ける必要がなくなる可能性もある。
【０００５】
このように、パチスロ機とメダル貸し機には従来からそれぞれホッパが設けられており、従来型のパチスロ機ではメダル貸し機内ホッパから貸しメダルが投出され、今後登場が予見されるＣＲパチスロ機ではパチスロ内ホッパから貸しメダルが投出されることになる。なお、ここで言う「メダルの投出」には、メダルを受け皿に払い出すことだけではなく、パチスロ機に配設されたいわゆるクレジット機構に払出メダル数分をカウントアップすることも含まれることとする。
【０００６】
【特許文献１】特開２００２−３２５８９０号公報
【特許文献２】特開２００３−１３５６７２号公報
【発明の開示】
【発明が解決しようとする課題】
【０００７】
しかしながら、上記従来型のパチスロ機では、遊技者がメダル貸し機から借り受けたメダルをパチスロ機に投入するパチスロ遊技の性質上、メダル貸し機内ホッパに貯留されるメダルは減少する一途であるので、係員がメダル貸し機内ホッパにメダルを常時補給する必要がある。その反面で、パチスロ内ホッパに貯留されるメダルは増加する傾向にあるので、係員がパチスロ内ホッパからメダルを常時回収する必要がある。遊技者が多くの賞メダルを獲得した場合には、かかるパチスロ内ホッパにメダルを補給する場合もあり得るが、遊技者がメダルを投資している通常環境では、上記のように係員によるメダル補給及びメダル回収を頻繁に行わねばならず、かかる補給・回収に係る労力が遊技店運営上の大きな問題となっている。特に、係員が迅速にメダル補給及びメダル回収を行わないと、メダル貸し機やパチスロ機が稼働不可能となり、その間遊技者がパチスロ遊技を行えないためサービスの低下に繋がるとともに、店舗の売り上げにも影響を及ぼすことになる。
【０００８】
一方、上記ＣＲパチスロでは、パチスロ内ホッパから貸し出された貸しメダルが再びパチスロ内ホッパに貯留されるため、上記従来型のパチスロ機の問題は緩和されるものの、かかるパチスロ内ホッパに貯留されるメダル数がニアエンプティに近く１０００円分のメダルを投出するとニアエンプティを下回ってしまうような場合には、やはりメダルを補給する必要がある。
【０００９】
これらのことから、パチスロ遊技を提供する際に、パチスロ機若しくはメダル貸し機に設けられるホッパへのメダル補給若しくはメダル回収に係る係員の労力をいかに軽減するかが、遊技者による継続遊技や遊技店の効率的な運営を図るうえで極めて重要な課題となっている。
【００１０】
この発明は、上記課題（問題点）を解決するためになされたものであり、パチスロ遊技を提供する際に、パチスロ機若しくはメダル貸し機に設けられるホッパへのメダル補給若しくはメダル回収に係る係員の労力を軽減し、もって遊技者による継続遊技や遊技店の効率的な運営を図ることができるメダル貸出システム及びメダル貸出方法を提供することを目的とする。
【課題を解決するための手段】
【００１１】
上述した課題を解決するため、本発明は、遊技客により所定のメダル貸出操作が行われた場合に、パチスロ機に通信可能に併設されたメダル貸し機により前記パチスロ機のパチスロ遊技に用いられるメダルを貸出処理するメダル貸出システムであって、前記パチスロ機に設けられたメダルを貯留するパチスロ用ホッパと、前記メダル貸し機に設けられたメダルを貯留するメダル貸し機用ホッパと、前記パチスロ用ホッパ又はメダル貸し機用ホッパのうち優先的にメダルを払い出す優先ホッパに貯留するメダルが不足状態にあるか否かを検知する検知手段と、前記検知手段により前記優先ホッパの不足状態が検知されない場合には、該優先ホッパからメダルを払い出し、前記優先ホッパの不足状態が検知された場合には、前記優先ホッパでない他方のホッパからメダルを払い出すよう制御する制御手段とを備えたことを特徴とする。
【００１２】
また、本発明は、上記発明において、前記制御手段は、前記メダル貸し機から貸しメダルの払出指示を受け付けた場合及び／又は前記パチスロ機から賞メダルの払出指示を受け付けた場合に、前記メダルを払い出すよう制御することを特徴とする。
【００１３】
また、本発明は、上記発明において、前記検知手段は、前記優先ホッパに貯留するメダルがニアエンプティ時のメダル量に貸出操作時のメダル貸出枚数を加算したメダル量よりも少ない場合に当該優先ホッパが前記不足状態にあると検知することを特徴とする。
【００１４】
また、本発明は、上記発明において、前記制御手段は、前記パチスロ用ホッパが優先ホッパである場合には、該パチスロ用ホッパの不足状態が検知されなければ該パチスロ用ホッパからメダルを払い出し、該パチスロ用ホッパの不足状態が検知されれば前記メダル貸し機用ホッパからメダルを払い出すよう制御することを特徴とする。
【００１５】
また、本発明は、上記発明において、前記制御手段は、前記メダル貸し機用ホッパが優先ホッパである場合には、該メダル貸し機用ホッパの不足状態が検知されなければ該メダル貸し機用ホッパからメダルを払い出し、該メダル貸し機用ホッパの不足状態が検知されれば前記パチスロ用ホッパからメダルを払い出すよう制御することを特徴とする。
【００１６】
また、本発明は、上記発明において、前記検知手段により前記優先ホッパの不足状態が検知された場合には、前記優先ホッパでない他方のホッパ内のメダルを前記優先ホッパに搬送するメダル搬送手段をさらに備えたことを特徴とする。
【００１７】
また、本発明は、上記発明において、前記優先ホッパのホッパ詰まりを検知するホッパ詰まり検知手段をさらに備え、前記制御手段は、前記ホッパ詰まり検知手段により前記優先ホッパのホッパ詰まりが検知された場合には、前記優先ホッパでない他方のホッパからメダルを払い出すよう制御することを特徴とする。
【００１８】
また、本発明は、上記発明において、前記優先ホッパからメダルを投出する受け皿が満杯状態であるか否かを検知する受け皿検知手段をさらに備え、前記制御手段は、前記受け皿検知手段により受け皿満杯状態が検知された場合には、前記優先ホッパでない他方のホッパからメダルを払い出すよう制御することを特徴とする。
【００１９】
また、本発明は、上記発明において、前記メダル貸し機にノズルが配設され該ノズルを回動しつつ一のパチスロ機の受け皿にメダルを排出する場合に、当該メダル貸し機のノズルの回動位置を検知するノズル回動位置検知手段と、前記ノズル回動位置検知手段により検知されたノズルの回動位置に基づいて当該ノズルを有するメダル貸し機が前記パチスロ機と一対の状態であるか否かを判定する判定手段とをさらに備え、前記制御手段は、前記メダル貸し機とパチスロ機が一対の状態であると判定された場合に、当該メダル貸し機のメダル貸し機用ホッパを前記優先ホッパ若しくは前記優先ホッパでない他方のホッパの対象とすることを特徴とする。
【００２０】
また、本発明は、遊技客により所定のメダル貸出操作が行われた場合に、パチスロ機に通信可能に併設されたメダル貸し機により前記パチスロ機のパチスロ遊技に用いられるメダルを貸出処理するメダル貸出方法であって、前記パチスロ機に設けられたメダルを貯留するパチスロ用ホッパ又は前記メダル貸し機に設けられたメダルを貯留するメダル貸し機用ホッパのうち優先的にメダルを払い出す優先ホッパに貯留するメダルが不足状態にあるか否かを検知する検知工程と、前記検知工程により前記優先ホッパの不足状態が検知されない場合には、該優先ホッパからメダルを払い出し、前記優先ホッパの不足状態が検知された場合には、前記優先ホッパでない他方のホッパからメダルを払い出すよう制御する制御工程とを含んだことを特徴とする。
【発明の効果】
【００２１】
本発明によれば、パチスロ機に設けられたメダルを貯留するパチスロ用ホッパと、メダル貸し機に設けられたメダルを貯留するメダル貸し機用ホッパとを設けておき、パチスロ用ホッパ又はメダル貸し機用ホッパのうち優先的にメダルを払い出す優先ホッパに貯留するメダルが不足状態にあるか否かを検知し、優先ホッパの不足状態が検知されない場合には、該優先ホッパからメダルを払い出し、優先ホッパの不足状態が検知された場合には、優先ホッパでない他方のホッパからメダルを払い出し制御するよう構成したので、パチスロ用ホッパやメダル貸し機用ホッパのメダル補給回数が減り、もってかかるメダル補給に係る係員の労力を軽減し、遊技者による継続遊技や遊技店の効率的な運営を図ることができる。
【００２２】
また、本発明によれば、メダル貸し機から貸しメダルの払出指示を受け付けた場合及び／又はパチスロ機から賞メダルの払出指示を受け付けた場合に、メダルを払い出すよう制御するよう構成したので、貸しメダルのみならず賞メダルをも対象に含めることで、より一層メダル補給回数を低減することができる。
【００２３】
また、本発明によれば、優先ホッパに貯留するメダルがニアエンプティ時のメダル量に貸出操作時のメダル貸出枚数を加算したメダル量よりも少ない場合に当該優先ホッパが不足状態にあると検知するよう構成したので、従来から知られているニアエンプティを検知する技術を利用して効率良くしシステムを構築することができる。
【００２４】
また、本発明によれば、パチスロ用ホッパが優先ホッパである場合には、該パチスロ用ホッパの不足状態が検知されなければ該パチスロ用ホッパからメダルを払い出し、該パチスロ用ホッパの不足状態が検知されればメダル貸し機用ホッパからメダルを払い出し制御するよう構成したので、ＣＲパチスロ機のようなパチスロ機本体から貸しメダルを投出する場合のメダル補給回数を低減することができる。
【００２５】
また、本発明によれば、メダル貸し機用ホッパが優先ホッパである場合には、該メダル貸し機用ホッパの不足状態が検知されなければ該メダル貸し機用ホッパからメダルを払い出し、該メダル貸し機用ホッパの不足状態が検知されればパチスロ用ホッパからメダルを払い出し制御するよう構成したので、従来型パチスロ機のようにメダル貸し機からメダルを投出する場合のメダル補給回数を低減することができる。
【００２６】
また、本発明によれば、優先ホッパの不足状態が検知された場合には、優先ホッパでない他方のホッパ内のメダルを優先ホッパに搬送するよう構成したので、例えばパチスロ用ホッパ内のメダルをメダル貸し機用ホッパに移動してメダル残量を調整し、もってホッパへのメダル補給回数やメダル回収回数を低減することができる。
【００２７】
また、本発明によれば、優先ホッパのホッパ詰まりを検知された場合には、優先ホッパでない他方のホッパからメダルを払い出し制御するよう構成したので、ホッパ詰まりが生じた場合であっても継続してメダルを払い出すことができる。
【００２８】
また、本発明によれば、優先ホッパからメダルを投出する受け皿満杯状態が検知された場合には、優先ホッパでない他方のホッパからメダルを払い出し制御するよう構成したので、例えばパチスロ機の受け皿が満杯状態である場合にメダル貸し機の受け皿にメダルを払い出すことにより、大当たりが発生した場合であっても係員がメダル用格納箱を持ってくるまでのメダル排出に効率良く対応することができる。
【００２９】
また、本発明によれば、メダル貸し機にノズルが配設され該ノズルを回動しつつ一のパチスロ機の受け皿にメダルを排出する場合に、当該メダル貸し機のノズルの回動位置を検知するとともに、検知されたノズルの回動位置に基づいて当該ノズルを有するメダル貸し機がパチスロ機と一対の状態であるか否かを判定し、メダル貸し機とパチスロ機が一対の状態であると判定された場合に、当該メダル貸し機のメダル貸し機用ホッパを優先ホッパ若しくは優先ホッパでない他方のホッパの対象とするよう構成したので、パチスロ機の台間に配設されたメダル貸し機が両隣のパチスロ機で兼用される場合であっても、効率良くメダル補給回数を低減することができる。
【発明を実施するための最良の形態】
【００３０】
以下に添付図面を参照して、本発明に係るメダル貸出システム及びメダル貸出方法の好適な実施例を詳細に説明する。以下で説明する実施例１ではＣＲパチスロ機のように貸しメダルを内部投出するケースを基本とする場合を示し、実施例２では従来のパチスロ機のようにメダル貸し機から外部投出するケースを基本とする場合を示すこととする。
【実施例１】
【００３１】
まず、パチスロ機およびメダル貸し機の構成並びに機能について説明する。図１は、本実施例１に係るパチスロ機１０およびメダル貸し機３０の外観を示した正面図である。同図に示すパチスロ機１０およびメダル貸し機３０は、パチンコ店の店内の島と呼ばれるグループごとに配設されている。
【００３２】
ここで、このパチスロ機１０及びメダル貸し機３０には、それぞれメダルを貯留するパチスロ用ホッパ１００及びメダル貸し機用ホッパ３００が設けられており、メダルを貸し出す際に優先的に使用される優先ホッパであるパチスロ用ホッパ１００に貯留するメダルが後述する不足状態にあるか否かを検知し、不足状態が検知されない場合には該パチスロ用ホッパ１００から貸しメダルを払い出し、不足状態が検知された場合にはメダル貸し機用ホッパ３００から貸しメダルを払い出すよう構成した点にその特徴がある。
【００３３】
いわゆるＣＲパチスロ機では、貸しメダルを本体内部に設けたパチスロ用ホッパ１００から払い出すのが通常であるが、常にパチスロ用ホッパ１００から貸しメダルを払い出すこととしたのでは、係員によるメダル補給回数が増加してしまうという問題がある。そこで、本実施例１では、一定の条件下においては貸しメダルをメダル貸し機用ホッパ３００から払い出すよう構成することにより、係員によるメダル補給回数を低減しているのである。
【００３４】
パチスロ機１０は、貨幣若しくはプリペイドカードを使って借り受けたメダルを用いて遊技を行ういわゆるＣＲパチスロ機であり、図１に示すように、プリペイドカード関連の操作部である貸出ボタン１０１及び返却ボタン１０２と、カード残高を表示するカード残高表示部１０３と、メダル投入口１０４と、スタートレバー１０５と、３つのドラム１０６〜１０８と、各ドラムの回転をストップさせるストップボタン１０９〜１１１と、クレジット残数を表示するクレジット表示部１１２と、３枚掛け〜１枚掛け用のクレジット投入ボタン１１３〜１１５と、３つのドラム１０６〜１０８の絵柄が揃っ際に獲得したメダル数が表示される払い出し表示部１１６と、パチスロ機１０内部やメダル貸し機３０から払い出される賞メダル及び貸しメダルを受け入れる受け皿１１７とを有する。
【００３５】
このパチスロ機１０では、メダル投入口１０４に１〜３枚のメダルを投入してスタートレバー１０５を操作すると、３つのドラム１０６〜１０８がそれぞれ回転し、各ドラムのストップボタン１０９〜１１１を押下すると、それぞれのドラム１０６〜１０８の回転が停止する。また、クレジット表示部１１２にメダル枚数が残っている場合には、クレジット投入ボタン１１３を押下し、スタートレバー１０５を操作すると、メダル投入口１０４に３枚のメダルを投入してスタートレバー１０５を操作した場合と同様に、３つのドラム１０６〜１０８がそれぞれ回転する。なお、３枚のメダルを投入してゲームをおこなう３枚掛けの場合には横３列および斜め２列の合計５列が対象となり、通常は、この有効ラインが５列となる３枚掛けでパチスロ遊技が行なわれる。
【００３６】
そして、３つのドラム１０６〜１０８の対象領域に一定の絵柄が揃うと、払い出し表示部１１６に絵柄の種類に応じた獲得メダル枚数が表示されるとともに、この表示された枚数のメダルが払い出される。具体的には、このメダルは直ちに受け皿１１７に払い出されるわけではなく、クレジットとして内部保留され、クレジット表示部１１２の表示内容がメダル枚数分だけ加算される。
【００３７】
また、上記パチスロ機１０には、その内部にメダル投出部が設けてある。このメダル投出部は、メダル貸し機３０の制御部３０ｍから貸しメダルの投出要求が与えられた場合並びにパチスロ機１０の制御部１０ｍから賞メダルの投出要求が与えられた場合に、クレジットとしてメダルを内部保留しない場合には、それぞれパチスロ機１０の受け皿１１７にメダルを投出する。また、クレジットの上限値（５０枚）を超える場合にも、受け皿１１７にメダルを投出する。
【００３８】
メダル貸し機３０は、遊技客から挿入されたプリペイドカードの残度数の範囲内でメダルの貸出処理を行う処理機であり、具体的には、プリペイドカードのカード識別情報に対応付けられた度数を上限としたメダルの貸出処理を主機能とするものである。このメダル貸し機３０は、遊技店に設置された複数のパチスロ機１０それぞれに対して１台ずつペアとなるように用意され、パチスロ機１０の相互間に挟まれる形で設置してある。
【００３９】
図１に示すように、このメダル貸し機３０は、縦長の直方体型の筐体として構成したもので、その前面パネルには、カードランプ３０１、現金ランプ３０２、紙幣投入口３０３、返却レバー３０４、種別ランプ３０５、金額表示部３０６、金額設定ボタン３０７、ノズル３０８及びカード挿入口３０９が設けられている。
【００４０】
カードランプ３０１及び現金ランプ３０２は、制御部３０ｍからの制御信号に基づいて点灯し、プリペイドカード及び現金の受け付け可能状態を遊技者に報知するためのものである。紙幣投入口３０３は、紙幣を受け入れてこれを後述する紙幣処理部（ビルバリユニット）３０ｃに取り込むための開口である。なお、この紙幣処理部３０ｃは、取り込まれた紙幣の金種を識別し、この識別結果を制御部３０ｍに与えるとともに、取り込んだ紙幣を島端回収ボックスに搬出させるべく紙幣搬送路へ導出する。
【００４１】
返却レバー３０４は、投入した貨幣を返却するためのものである。種別ランプ３０５は、貸し出す遊技媒体の種類、つまりパチンコ玉およびメダルのいずれを貸し出すかを点灯表示するためのものである。ここではパチスロ機１０の台間に配設されているのでメダルの点灯表示がなされる。
【００４２】
金額設定ボタン３０６は、パチスロ機１０の貸出ボタンを１回操作する毎に貸し出されるメダルの枚数（貸し出し単位）を利用者が設定するためのものである。カード挿入口３０８は、プリペイドカードを受け入れてこれを後述するカード処理部３０ｄに取り込むための開口である。このカード処理部３０ｄは、取り込んだカードを読み取り、その読み取り結果を制御部３０ｍに与える処理をおこなう。
【００４３】
ノズル３０９は、メダル貸し機３０の内部に設けられたメダル貸し機用ホッパ３００内に貯留したメダルを払い出す際に、かかるメダルをパチスロ機１０の受け皿１１７に導入するためのノズルである。
【００４４】
次に、図１に示したパチスロ機１０及びメダル貸し機３０の内部構成について説明する。図２は、図１に示したパチスロ機１０及びメダル貸し機３０の内部構成を示す機能ブロック図である。同図に示すように、パチスロ機１０は、表示部１０ａと、操作部１０ｂと、記憶部１０ｃと、電源部１０ｄと、インターフェース部１０ｅと、パチスロ用ホッパ１００と、制御部１０ｍとを有する。
【００４５】
表示部１０ａは、図１に示したカード残高表示部１０３、クレジット表示部１１２及び払い出し表示部１１６の総称であり、操作部１０ｂは、図１に示した貸出ボタン１０１、返却ボタン１０２、スタートレバー１０５、ストップボタン１０９〜１１１及びクレジット投入ボタン１１３〜１１５の総称である。記憶部１０ｃは、遊技プログラム、設定データ及び一時データ等を記憶する記憶デバイスであり、電源部１０ｄは、パチスロ機１０全体に電力を供給する電源であり、Ｉ／Ｆ部１０ｅは、メダル貸し機３０とデータ通信するためのインターフェース部である。
【００４６】
パチスロ用ホッパ１００は、内部にメダルを貯留するホッパであり、エンプティ検知センサ１０ｆ、ニアエンプティ検知センサ１０ｇ、所定量検知センサ１０ｈ、フル検知センサ１０ｉ及び詰まり検知センサ１０ｊを有する。エンプティ検知センサ１０ｆは、パチスロ用ホッパ１００内のメダル残量がエンプティとなったことを検知するセンサであり、ニアエンプティ検知センサ１０ｇは、パチスロ用ホッパ１００内のメダル残量がエンプティに近い状態となったことを検知するセンサである。通常は、かかるニアエンプティが検知された時点で係員がパチスロ用ホッパ１００内にメダルを補給する。
【００４７】
所定量検知センサ１０ｈは、本発明が独自に導入したセンサであり、パチスロ用ホッパ１００内のメダル残量がニアエンプティ時のメダル残量に一貸出操作時のメダル貸出枚数（通常５０枚）を加算した量（所定量）のメダルが存在するか否かを検知するセンサである。フル検知センサ１０ｉは、パチスロ用ホッパ１００内のメダル残量が回収が必要なフル状態であるか否かを検知するセンサであり、詰まり検知センサ１０ｊは、パチスロ用ホッパ１００内にメダル詰まりが存在するか否かを検知するセンサである。
【００４８】
制御部１０ｍは、パチスロ機１０全体を制御する制御部であり、本発明に係るメダルの貸出制御を行う貸出制御部１０ｋと、ドラム１０６〜１０８の回転駆動等のパチスロ遊技に係る制御を行う遊技制御部１０ｌとを有する。ここでは図示省略したが、このパチスロ機１０にはドラムの回転駆動部等も配設されている。
【００４９】
一方、メダル貸し機３０は、表示部３０ａと、操作部３０ｂと、紙幣処理部３０ｃと、カード処理部３０ｄと、記憶部３０ｅと、電源部３０ｆと、Ｉ／Ｆ部３０ｇと、メダル貸し機用ホッパ３００と、制御部３０ｍとを有する。
【００５０】
表示部３０ａは、図１に示したカードランプ３０１、現金ランプ３０２、種別ランプ３０５及び金額表示部３０６の総称であり、操作部３０ｂは、返却レバー３０４及び金額設定ボタン３０７の総称である。紙幣処理部３０ｃは、紙幣投入口３０３の受け入れ、搬送、種別判定及び真偽判定等を行う処理部であり、カード処理部３０ｄは、カード挿入口３０９から挿入されたプリペイドカードや会員カードからのデータの読み取り等を行う制御ユニットである。記憶部３０ｅは、メダル貸しプログラム、設定データ及び一時データ等を記憶する記憶デバイスであり、電源部３０ｆは、メダル貸し機３０全体に電力を供給する電源であり、Ｉ／Ｆ部３０ｇは、パチスロ機１０とデータ通信する際に用いられるインターフェース部である。
【００５１】
メダル貸し機用ホッパ３００は、内部にメダルを貯留するホッパであり、エンプティ検知センサ３０ｈ、ニアエンプティ検知センサ３０ｉ、所定量検知センサ３０ｊ及び詰まり検知センサ３０ｋを有する。エンプティ検知センサ３０ｈは、メダル貸し機用ホッパ３００内のメダル残量がエンプティとなったことを検知するセンサであり、ニアエンプティ検知センサ３０ｉは、メダル貸し機用ホッパ３００内のメダル残量がエンプティに近い状態となったことを検知するセンサである。
【００５２】
所定量検知センサ３０ｊは、本発明が独自に導入したセンサであり、メダル貸し機用ホッパ３００内のメダル残量がニアエンプティ時のメダル残量に一貸出操作時のメダル貸出枚数（通常５０枚）を加算した量（所定量）のメダルが存在するか否かを検知するセンサであり、詰まり検知センサ３０ｋは、メダル貸し機用ホッパ３００内にメダル詰まりが存在するか否かを検知するセンサである。
【００５３】
制御部３０ｍは、メダル貸し機２０を全体制御する制御部であり、メダル貸し条件を設定する条件設定部３０ｌを有する。この条件設定部３０ｌでは、優先的にメダルを貸し出す優先ホッパをメダル貸し機用ホッパ３００にするか又はパチスロ用ホッパ１００にするか等を記憶する。本実施例１では、パチスロ用ホッパ１００が優先ホッパとして設定されているものとする。
【００５４】
次に、図１に示したパチスロ機１０及びメダル貸し機３０上で制御される本実施例１に係る特徴部分を説明する。図３は、本実施例１に係る概念を示す概念図であり、図４−１〜図４−３は、本実施例１により得られる効果を説明するための説明図である。
【００５５】
図３に示すように、このメダル貸出システムでは、パチスロ機１０上の貸出ボタン１０１を押下するメダル貸出操作がなされた場合に、パチスロ機１０の内部に設けられたパチスロ用ホッパ１００から受け皿３０９に貸しメダルを払い出す形態を基本とし、一定条件時にメダル貸し機３０の内部に設けられたメダル貸し機用ホッパ３００から受け皿３０９に貸しメダルを払い出すこととしている。
【００５６】
ここで言う「一定条件時」とは、パチスロ用ホッパ１００内に貯留されるメダルがニアエンプティに近い状態（例えば、ニアエンプティ＋メダル貸出操作時のメダル貸出枚数）を意味する。なお、このエンプティに近い状態であるか否かは所定量検知センサ１０ｈによって検知する。かかるエンプティに近い状態でパチスロ用ホッパ１００から貸しメダルを払い出すと、パチスロ用ホッパ１００がニアエンプティ状態となってしまい、係員によるメダル補給行為が必要になってしまうからである。
【００５７】
図４−１に示すように、パチスロ機１０上の貸出ボタン１０１を押下して１０００円分（５０枚）のメダル貸出操作がなされると、受け皿１１７に５０枚のメダルが払い出されるとともに、パチスロ用ホッパ１００に貯留されるメダル量が当初のラインＬ１からラインＬ２（＝Ｌ１−５０枚）まで下降する。
【００５８】
この後、遊技者がメダルを使ってパチスロ遊技を行って最終的にこの５０枚を使い切ったならば、パチスロ用ホッパ１００のメダル量は５０枚分上昇し、再びラインＬ１に復帰する。すなわち、遊技者が投資を続ける限り、パチスロ用ホッパ１００のメダル量はラインＬ１とラインＬ２の増減を繰り返し、メダル補給が発生することはない。
【００５９】
しかしながら、遊技者がパチスロ遊技で大当たりをし、パチスロ用ホッパ１００から多くのメダルが賞メダルとして払い出された場合には、図４−２に示すようにラインＬ１がニアエンプティに近いラインまで下降する。そして、かかる状態で遊技客が遊技を止めて獲得したメダルを精算し、次の遊技者が１０００円分のメダルを借り受けるメダル貸出操作を行うと、パチスロ用ホッパ１００から５０枚のメダルが受け皿１１７に払い出されるとともに、パチスロ用ホッパ１００に貯留されるメダル量がニアエンプティよりも下のラインＬ２となるため、従来では係員がメダルを補給しラインＬ１’に復帰させる必要が生ずる。
【００６０】
これに対して、本実施例１では図４−３に示すように、かかる場合に５０枚分のメダルをメダル貸し機用ホッパ３００から受け皿１１７に払い出すこととしている。これにより、メダル貸し機用ホッパ３００内に貯留されるメダル数はラインＭ１からラインＭ２に下降するものの、パチスロ用ホッパ１００のメダル量をラインＬ１からラインＬ１’に引き上げることができる。このようにして、パチスロ用ホッパ１００のメダル量を引き上げることができれば、図４−１に示したように、メダル貸出操作がなされたとしてもニアエンプティとなることはないので、係員によるメダル補給行為が発生しないのである。
【００６１】
次に、パチスロ機１０の貸出制御部１０ｋで行われるメダル投出制御手順について説明する。図５は、図１に示したパチスロ機１０の貸出制御部１０ｋで行われるメダル投出制御手順を示すフローチャートである。
【００６２】
同図に示すように、この貸出処理部１０ｋでは、パチスロ機１０上の貸出ボタン１０１を押下して１０００円分（５０枚）のメダル貸出操作がなされると（ステップＳ１０１）、パチスロ用ホッパ１００の残メダル量を示すラインＬ１を確認し（ステップＳ１０２）、このラインＬ１がニアエンプティ（ＮＥ）＋５０枚を上回っているか否かを確認する（ステップＳ１０３）。実際には、パチスロ用ホッパ１００内のニアエンプティ（ＮＥ）＋５０枚の付近に所定量検知センサ１０ｈによって確認される。
【００６３】
そして、ラインＬ１がニアエンプティ（ＮＥ）＋５０枚を上回っている場合には（ステップＳ１０３肯定）、通常通りパチスロ用ホッパ１００からメダルを払い出し（ステップＳ１０４）、ラインＬ１がニアエンプティ（ＮＥ）＋５０枚を下回っている場合には（ステップＳ１０３否定）、メダル貸し機３０に５０枚のメダル投出指示を行い（ステップＳ１０５）、メダル貸し機用ホッパ３００から５０枚のメダルを投出する。
【００６４】
上述してきたように、本実施例１では、パチスロ機１０及びメダル貸し機３０にそれぞれメダルを貯留するパチスロ用ホッパ１００及びメダル貸し機用ホッパ３００を設け、メダルを貸し出す際に優先的に使用される優先ホッパであるパチスロ用ホッパ１００に貯留するメダルが不足状態にあるか否かを検知し、検知されない場合には、該パチスロ用ホッパ１００から貸しメダルを払い出し、検知された場合には、メダル貸し機用ホッパ３００から貸しメダルを払い出すよう構成したので、係員によるメダル補給回数を低減し、もってかかるメダル補給に係る係員の労力を軽減し、遊技者による継続遊技や遊技店の効率的な運営を図ることができる。
【実施例２】
【００６５】
ところで、上記実施例１では、パチスロ機１０上の貸出ボタン１０１を押下するメダル貸出操作がなされた場合に、パチスロ用ホッパ１００から受け皿３０９に貸しメダルを払い出す形態を基本とし、一定条件時にメダル貸し機用ホッパ３００から受け皿３０９に貸しメダルを払い出すこととしたが、本発明はこれに限定されるものではなく、メダル貸し機用ホッパ３００から受け皿３０９に貸しメダルを払い出す形態を基本とした場合にも適用できる。このため、本実施例２では、メダル貸し機用ホッパ３００から受け皿３０９に貸しメダルを払い出す形態を基本とした場合について説明する。なお、パチスロ機１０及びメダル貸し機３０の外観並びに内部構成等については同様のものとなるので、ここではその説明を省略する。
【００６６】
図６は、本実施例２に係る概念を示す概念図であり、図７−１〜図７−２は、本実施例２により得られる効果を説明するための説明図である。図６に示すように、このメダル貸出システムでは、パチスロ機１０上の貸出ボタン１０１を押下するメダル貸出操作がなされた場合に、メダル貸し機３０の内部に設けられたメダル貸し機用ホッパ３００から受け皿３０９に貸しメダルを払い出す形態を基本とし、一定条件時にパチスロ機１０の内部に設けられたパチスロ用ホッパ１００から受け皿３０９に貸しメダルを払い出すこととしている。現在普及しているメダル貸し機３０から貸しメダルを払い出すケースを想定したものである。
【００６７】
ここで言う「一定条件時」とは、すでに説明した実施例１と同様に、メダル貸し機用ホッパ３００内に貯留されるメダルがニアエンプティに近い状態（ニアエンプティ＋メダル貸出操作時のメダル貸出枚数）を意味する。かかる場合に、メダル貸し機用ホッパ３００から貸しメダルを払い出すと、メダル貸し機用ホッパ３００がニアエンプティ状態となってしまい、係員によるメダル補給行為が必要になってしまうからである。なお、メダル貸し機用ホッパ３００には、ニアエンプティ＋メダル貸出操作時のメダル貸出枚数を検知する所定量検知センサ３０ｊが設けられている。
【００６８】
図７−１に示すように、パチスロ機１０上の貸出ボタン１０１を押下して１０００円分（５０枚）のメダル貸出操作がなされると、受け皿１１７に５０枚のメダルが払い出されるとともに、メダル貸し機用ホッパ３００に貯留されるメダル量が当初のラインＭ１からラインＭ２（＝Ｍ１−５０枚）まで下降する。
【００６９】
この後、遊技者がメダルを使ってパチスロ遊技を行って最終的にこの５０枚を使い切ったならば、パチスロ用ホッパ１００のメダル量は５０枚分上昇し、当初のラインＬ１からラインＬ２に上昇する。すなわち、遊技者が投資を続けると、メダル貸し機用ホッパ３００のメダル量は下降する反面でパチスロ用ホッパ１００のメダル量は上昇するのである。このため、係員はメダル貸し機用ホッパ３００にメダルを補給するとともに、パチスロ用ホッパ１００からメダルを回収する必要が生ずる。
【００７０】
これに対して、本実施例２では図７−２に示すように、かかる場合に５０枚分のメダルをパチスロ用ホッパ１００から受け皿１１７に払い出すこととしている。これにより、パチスロ用ホッパ１００内に貯留されるメダル数はラインＬ１とラインＬ２の増減を繰り返すこととなるので、上記メダル補給及びメダル回収に伴う係員の労力を低減することができる。
【００７１】
次に、メダル貸し機３０の制御部３０ｍで行われるメダル投出制御手順について説明する。図８は、本実施例２に係るメダル投出制御手順を示すフローチャートである。同図に示すように、この制御部では、パチスロ機１０上の貸出ボタン１０１を押下して１０００円分（５０枚）のメダル貸出操作がなされると（ステップＳ２０１）、メダル貸し機用ホッパ３００の残メダル量を示すラインＭ１を確認し（ステップＳ２０２）、このラインＭ１がニアエンプティ（ＮＥ）＋５０枚を上回っているか否かを確認する（ステップＳ２０３）。実際には、メダル貸し機用ホッパ３００内のニアエンプティ（ＮＥ）＋５０枚の付近に設けられた所定量検知センサ３０ｊで確認する。
【００７２】
そして、ラインＭ１がニアエンプティ（ＮＥ）＋５０枚を上回っている場合には（ステップＳ２０３肯定）、通常通りメダル貸し機用ホッパ３００からメダルを払い出し（ステップＳ２０４）、ラインＭ１がニアエンプティ（ＮＥ）＋５０枚を下回っている場合には（ステップＳ２０３否定）、パチスロ機１０に５０枚のメダル投出指示を行い（ステップＳ２０５）、パチスロ用ホッパ１００から５０枚のメダルを投出する。
【００７３】
上述してきたように、本実施例２では、パチスロ機１０及びメダル貸し機３０にそれぞれメダルを貯留するパチスロ用ホッパ１００及びメダル貸し機用ホッパ３００を設け、メダルを貸し出す際に優先的に使用される優先ホッパであるメダル貸し機用ホッパ３００に貯留するメダルが不足状態にあるか否かを検知し、検知されない場合には、該メダル貸し機用ホッパ３００から貸しメダルを払い出し、検知された場合には、パチスロ用ホッパ１００から貸しメダルを払い出すよう構成したので、係員によるメダル補給回数を低減し、もってかかるメダル補給に係る係員の労力を軽減し、遊技者による継続遊技や遊技店の効率的な運営を図ることができる。
【００７４】
ところで、上記実施例１及び２では、メダルの補給経路を変えることによりメダル補給回数を減らすこととしたが、本発明はこれに限定されるものではなく、メダル移動を伴うこともできる。図９は、メダル移動を行う場合の概念を示す図である。ここでは、メダル貸し機用ホッパ３００から貸しメダルを投出する場合を基本としている。
【００７５】
すでに説明したように、メダル貸し機用ホッパ３００がニアエンプティ（ＮＥ）＋５０枚を下回ってしまった場合には、上述した実施例２を用いてメダル補給回数を低減することができるものの、メダル貸し機用ホッパ３００内に貯留するメダル量を増やすことができないために、やはり係員による補給が必要となってしまう。このため、図９及び図１０に示すように、かかる場合にはパチスロ用ホッパ１００に貯留した所定量のメダルをメダル貸し機用ホッパ３００に搬送するメダル搬送機構４００を設け、メダル貸し機用ホッパ３００がニアエンプティ（ＮＥ）＋５０枚を下回ってしまった場合には、かかるメダル搬送機構４００を用いてメダルを移動させることにより、より効率的に問題を解消し、係員によるメダル補給行為及びメダル回収行為を防ぐことができる。なお、かかる場合のメダル搬送機構はいかなるものであっても構わない。
【００７６】
なお、本実施例１及び２では、貸しメダルを払い出す場合について説明したが、本発明はこれに限定されるものではなく、賞メダルを払い出す場合にも同様に適用できる。また、ここではメダルを受け皿１１７に払い出す場合について説明したが、クレジット加算する場合を含めて適用することができる。
【００７７】
また、実施例１で示したパチスロ用ホッパ１００や実施例２で示したメダル貸し機用ホッパ３００（つまり優先ホッパ）にホッパ詰まりを検知する詰まり検知センサ１０ｊ又は３０ｋでホッパ詰まりが検知された場合には、優先ホッパでない他方のホッパからメダルを払い出すよう構成することもできる。これにより、ホッパ詰まりが生じた場合であっても継続してメダルを払い出すことができる。
【００７８】
さらに、図１０に示すように優先ホッパであるパチスロ機１０の受け皿１１７の満杯状態を検知する受皿満杯検知センサ４１０を設け、この受皿満杯検知センサ４１０が受け皿１１７の満杯状態を検知したならば、優先ホッパでない他方のホッパ（メダル貸し機３０葉ホッパ３００）からメダル貸し機３０に設けた受け皿にメダルを払い出し制御するよう構成することもできる。これにより、例えばパチスロ機１０の受け皿１１７が満杯状態である場合にメダル貸し機３０に別途設けられた受け皿にメダルを払い出すことにより、大当たりが発生した場合であっても係員がメダル用格納箱を持ってくるまでのメダル排出に効率良く対応することができる。パチスロ機１０の受け皿１１７以外にメダル貸し機３０にも受け皿が設けられている場合に有効である。
【００７９】
また、メダル貸し機３０にノズルが配設され該ノズルを回動しつつ一のパチスロ機１０の受け皿１１７にメダルを排出する場合に、図１０に示すように当該メダル貸し機３０のノズル３０９の回動位置を検知するノズル位置検知センサ４２０を設け、このノズル位置検知センサ４２０で検知されたノズル３０９の回動位置に基づいて当該ノズル３０９を有するメダル貸し機３０がパチスロ機１０と一対の状態であるか否かを判定し、メダル貸し機３０とパチスロ機１０が一対の状態であると判定された場合に、当該メダル貸し機３０のメダル貸し機用ホッパ３００を優先ホッパ若しくは優先ホッパでない他方のホッパの対象とするよう構成することもできる。これにより、パチスロ機１０の台間に配設されたメダル貸し機３０が両隣のパチスロ機１０で兼用される場合であっても、効率良くメダル補給回数を低減することができる。
【産業上の利用可能性】
【００８０】
本発明にかかるメダル貸出システム及びメダル貸出方法は、パチスロ遊技を提供する際に、パチスロ機若しくはメダル貸し機に設けられるホッパへのメダル補給若しくはメダル回収に係る係員の労力を軽減し、もって遊技者による継続遊技や遊技店の効率的な運営を図る場合に有用である。
【図面の簡単な説明】
【００８１】
【図１】本実施例１に係るパチスロ機およびメダル貸し機の外観を示した正面図である。
【図２】図１に示したパチスロ機およびメダル貸し機の内部構成を示す機能ブロック図である。
【図３】本実施例１に係る概念を示す概念図である。
【図４−１】本実施例１により得られる効果を説明するための説明図（その１）である。
【図４−２】本実施例１により得られる効果を説明するための説明図（その２）である。
【図４−３】本実施例１により得られる効果を説明するための説明図（その３）である。
【図５】図１に示したパチスロ機の貸出処理部で行われるメダル投出制御手順を示すフローチャートである。
【図６】本実施例２に係る概念を示す概念図である。
【図７−１】本実施例２により得られる効果を説明するための説明図（その１）である。
【図７−２】本実施例２により得られる効果を説明するための説明図（その２）である。
【図８】本実施例２に係るメダル投出制御手順を示すフローチャートである。
【図９】メダル移動を行う場合の概念を示す図である。
【図１０】パチスロ機およびメダル貸し機の内部構成の変形例を示す機能ブロック図である。
【符号の説明】
【００８２】
１０  パチスロ機
１０ａ  表示部
１０ｂ  操作部
１０ｃ  記憶部
１０ｄ  電源部
１０ｅ  インターフェース部（Ｉ／Ｆ部）
１０ｆ  エンプティ検知センサ
１０ｇ  ニアエンプティ検知センサ
１０ｈ  所定量検知センサ
１０ｉ  フル検知センサ
１０ｊ  詰まり検知センサ
１０ｋ  貸出制御部
１０ｌ  遊技制御部
１０ｍ  制御部
３０  メダル貸し機
３０ａ  表示部
３０ｂ  操作部
３０ｃ  紙幣処理部
３０ｄ  カード処理部
３０ｅ  記憶部
３０ｆ  電源部
３０ｇ  インターフェース部（Ｉ／Ｆ部）
３０ｈ  エンプティ検知センサ
３０ｉ  ニアエンプティ検知センサ
３０ｊ  所定量検知センサ
３０ｋ  詰まり検知センサ
３０ｌ  条件設定部
３０ｍ  制御部
１００  パチスロ用ホッパ
１０１  貸出ボタン
１０２  返却ボタン
１０３  カード表示部
１０４  メダル投入口
１０５  スタートレバー
１０６〜１０８  ドラム
１０９〜１１１  ストップボタン
１１２  クレジット表示部
１１３〜１１５  クレジット投入ボタン
１１６  払い出し表示部
１１７  受け皿
３００  メダル貸し機用ホッパ
３０１  カードランプ
３０２  現金ランプ
３０３  紙幣投入口
３０４  返却レバー
３０５  種別ランプ
３０６  金額表示部
３０７  金額設定ボタン
３０８  カード挿入口
３０９  ノズル
４００  メダル搬送機構
４１０  受け皿満杯検知センサ
４２０  ノズル位置検知センサ
【図１】
2006280631.tif 000003
【図２】
2006280631.tif 000004
【図３】
2006280631.tif 000005
【図４−１】
2006280631.tif 000006
【図４−２】
2006280631.tif 000007
【図４−３】
2006280631.tif 000008
【図５】
2006280631.tif 000009
【図６】
2006280631.tif 000010
【図７−１】
2006280631.tif 000011
【図７−２】
2006280631.tif 000012
【図８】
2006280631.tif 000013
【図９】
2006280631.tif 000014
【図１０】
2006280631.tif 000015